(57)【要約】【課題】基礎ブロックの空洞部に建材支柱を挿入してモルタルを養生して支柱を固定する際に、建材支柱を安定に固定することが可能なフェンス支柱等の建材支柱の仮止め具及びその方法を提供する。【解決手段】基礎部の固定用空所内でスライド可能とされたスライドロック部材と、そのスライドロック部材を接触させつつそのスライドロック部材のスライド方向と交差する向きの分力を受けて前記固定用空所の内壁又は前記建材支柱の基部外面に押し付けられる押圧部材とを備えるロックユニットを含む。前記スライドロック部材が非ロック位置からロック位置に移動した状態でそのスライドロック部材と前記押圧部材との相互の押圧作用に基づき、前記建材支柱が前記固定用空所内で仮止めされる。【選択図】　図１
2004036202.tif 000002
【特許請求の範囲】
【請求項１】
基礎部の固定用空所内にフェンス支柱等の建材支柱の基部を位置させてその固定用空所内にモルタル等の施工材料を充填して建材支柱を基礎部に固定施工するのに先立ち、その建材支柱を前記基礎部の固定用空所に仮止めするために、前記建材支柱の基部と前記基礎部の固定用空所の内壁との間に挿入される仮止め具であって、
前記固定用空所内でスライド可能とされたスライドロック部材と、そのスライドロック部材を接触させつつそのスライドロック部材のスライド方向と交差する向きの分力を受けて前記固定用空所の内壁又は前記建材支柱の基部外面に押し付けられる押圧部材とを備えるロックユニットを含み、前記スライドロック部材が非ロック位置からロック位置に移動した状態でそのスライドロック部材と前記押圧部材との相互の押圧作用に基づき、前記建材支柱が前記固定用空所内で仮止めされることを特徴とする建材支柱の仮止め具。
【請求項２】
前記スライドロック部材は、前記押圧部材に接触させていく方向に向けて幅が狭くなる、テーパ形状を有することを特徴とする請求項１に記載の建材支柱の仮止め具。
【請求項３】
前記押圧部材の前記スライドロック部材と接触する接触面は、前記スライドロック部材の接触面形状に対応した形態であることを特徴とする請求項１又は２に記載の建材支柱の仮止め具。
【請求項４】
前記スライドロック部材は、非ロック位置からロック位置に移動する側の一端面に、前記スライドロック部材をスライドさせるための引っ掛け部を備えることを特徴とする請求項１ないし３のいずれか１項に記載の建材支柱の仮止め具。
【請求項５】
前記スライドロック部材は、非ロック位置からロック位置に移動する側の一端面に、前記スライドロック部材をスライドさせるためのスライド方向にのびる引張り紐を有することを特徴とする請求項１ないし３のいずれか１項に記載の建材支柱の仮止め具。
【請求項６】
前記ロックユニットは２つの押圧部材を有し、前記スライドロック部材は２つの前記押圧部材を外側に押し広げるように前記押圧部材に接触しつつスライド可能であることを特徴とする請求項１ないし５に記載の建材支柱の仮止め具。
【請求項７】
前記２つの押圧部材は、連結部材により一体化されてなることを特徴とする請求項６に記載の建材支柱の仮止め具。
【請求項８】
基礎部の固定用空所内にフェンス支柱等の建材支柱の基部を位置させてその固定用空所内にモルタル等の施工材料を充填して建材支柱を基礎部に固定施工するのに先立ち、その建材支柱を前記基礎部の固定用空所に仮止めする方法であって、
前記建材支柱の基部を前記基礎部の固定用空所に位置させ、
その建材支柱と固定用空所との間に、
前記固定用空所内でスライド可能とされたスライドロック部材と、そのスライドロック部材を接触させつつそのスライドロック部材のスライド方向と交差する向きの分力を受けて前記固定用空所の内壁又は前記建材支柱の基部外面に押し付けられる押圧部材とを備えるロックユニットを挿入し、
その前記スライドロック部材を非ロック位置からロック位置に移動させることによりそのスライドロック部材と前記押圧部材との相互の押圧作用に基づき、前記建材支柱を前記固定用空所内で仮止めすることを特徴とする建材支柱の仮止め方法。
【請求項９】
前記ロックユニットは、前記建材支柱の基部外面に簡易性の粘着テープで固定されることを特徴とする請求項８に記載の建材支柱の仮止め方法。
【発明の詳細な説明】
【０００１】
【発明の属する技術分野】
本発明は、基礎ブロック（基礎部）にフェンス支柱等の建材支柱を施工する際の支柱の仮止め具および仮止め方法に関するものである。
【０００２】
【従来の技術】
図７（ａ）（ｂ）に、従来例の斜視図を示す。従来、この種のものは例えば図（ａ）に示されるように、基礎ブロック１０１の孔１０２にモルタルを充填し、そこにフェンス支柱１０３を差し込むとともに固定具１０４を打ち込んで支柱１０３の垂直位置と水平位置を調整してモルタルが固まるまで養生し、その後、再びモルタルで孔１０２を塞いで仕上げていた。または、図７（ｂ）に示されるように、フェンス支柱の垂直位置を固定するレベル棒１０５を用いて同様にモルタルにて施工していた。施工後の状態を図７（ｃ）に示す。
【０００３】
【発明が解決しようとする課題】
しかし、従来例においては、モルタルが固まるまで約１日間養生することが必要であると共に、フェンス支柱の固定がフェンス支柱の前後方向（図面左手前から右後方）を固定するのみであり、左右方向への移動の自由が許されるため、モルタルが固まるまでフェンス支柱を真っ直ぐに保持することが容易ではなかった。
【０００４】
そこで、本発明の課題は基礎ブロックの固定用空所部にフェンス支柱を挿入してモルタルを養生して支柱を固定する際に、フェンス支柱の左右方向の安定化を図った、より簡単かつ強固に固定が可能なフェンス支柱等の建材支柱の仮止め具および仮止め方法を提供することにある。
【０００５】
【課題を解決するための手段および作用・発明の効果】
本発明は、上記の問題を鑑みてなされた、基礎部の固定用空所内にフェンス支柱等の建材支柱の基部を位置させてその固定用空所内にモルタル等の施工材料を充填して建材支柱を基礎部に固定施工するのに先立ち、その建材支柱を前記基礎部の固定用空所に仮止めするために、前記建材支柱の基部と前記基礎部の固定用空所の内壁との間に挿入される仮止め具であって、
前記固定用空所内でスライド可能とされたスライドロック部材と、そのスライドロック部材を接触させつつそのスライドロック部材のスライド方向と交差する向きの分力を受けて前記固定用空所の内壁又は前記建材支柱の基部外面に押し付けられる押圧部材とを備えるロックユニットを含む。
【０００６】
このように構成すれば、前記スライドロック部材が非ロック位置からロック位置に移動した状態でそのスライドロック部材と前記押圧部材との相互の押圧作用に基づき、前記建材支柱が前記固定用空所内で仮止めされる
【０００７】
このように、モルタルを充填する前に、建材支柱を基礎ブロックの固定用空所内に強固に固定することができれば、建材支柱が垂直方向および水平方向の双方において安定するまでモルタルの養生を待つ必要もなく、さらに、確実に建材支柱を真っ直ぐに立設させることが容易となる。
【０００８】
また、さらに具体的な発明の形態として本発明は、前記スライドロック部材は、前記押圧部材に接触させていく方向に向けて幅が狭くなる、テーパ形状を有するものとすることができる。さらに、前記押圧部材の前記スライドロック部材と接触する接触面は、前記スライドロック部材の接触面形状に対応した形態としてもよい。
【０００９】
また、さらなる別な発明の形態として、前記ロックユニットは２つの押圧部材を有する構成としてもよい。
【００１０】
このように構成すれば、２つの押圧部材の間にスライドロック部材を挟むようにしてスライドロック部材を押圧部材に接触させつつスライドさせれば、スライドロック部材は２つの前記押圧部材を外側に押し広げるように作用し、ロック位置までスライドした後には、建材支柱が基礎部であるブロック等の固定用空所内で強力に仮止めされることとなる。
【００１１】
また、フェンス支柱等の建材支柱を固定する方法としての本発明は、基礎部の固定用空所内にフェンス支柱等の建材支柱の基部を位置させてその固定用空所内にモルタル等の施工材料を充填して建材支柱を基礎部に固定施工するのに先立ち、その建材支柱を前記基礎部の固定用空所に仮止めする方法であって、
前記建材支柱の基部を前記基礎部の固定用空所に位置させ、
その建材支柱と固定用空所との間に、
前記固定用空所内でスライド可能とされたスライドロック部材と、そのスライドロック部材を接触させつつそのスライドロック部材のスライド方向と交差する向きの分力を受けて前記固定用空所の内壁又は前記建材支柱の基部外面に押し付けられる押圧部材とを備えるロックユニットを挿入し、
その前記スライドロック部材を非ロック位置からロック位置に移動させることによりそのスライドロック部材と前記押圧部材との相互の押圧作用に基づき、前記建材支柱を前記固定用空所内で仮止めすることを特徴とする。
【００１２】
また、さらに具体的な発明の形態として、前記ロックユニットは、前記建材支柱の基部外面に簡易性の粘着テープで固定するようにしてもよい。
【００１３】
このように構成すれば、例えばスライドロック部材を押圧部材と軽く接触するような形態で、これらの部材をまとめてロックユニットとして一体化し、建材支柱の外側面にロックユニットを貼り付けにより簡単に取り付けることができる。すなわち、このように構成すれば、その道の職人でなくとも、日曜大工程度に自らフェンス支柱等の建材支柱を立てたい場合等に、手軽に利用することができる。
【００１４】
【発明の実施の形態】
以下、本発明の実施の形態を図面に示す実施例を参照しつつ説明する。
【００１５】
図１は、本発明の建材支柱の仮止め具の使用状態を説明する図である。以後、ここでの建材部材は例としてフェンスであるものとして述べる。（ａ）はフェンス支柱を固定する前の設置状態を示し、（ｂ）では、フェンス支柱が固定された状態を示している。両側面に、直方体形状の当接部材４と第１の押圧部材５を水平に同位置に設置したフェンス支柱３が、基礎ブロック１の固定用空所部２内に挿入されている。この時、フェンス支柱３をレベル棒が貫通するためのレベル穴１４の位置にてフェンス支柱３は一定の垂直位置に固定される。すなわち、図７（ｂ）に示す従来例と同様な形態である。この状態では、固定されるのは垂直方向の位置のみであって、水平方向（図１における左右の方向）には固定されない。
【００１６】
フェンスの片側側面３ｂに接する第１の押圧部材５、基礎ブロック１の固定用空所部２の片側内側面２ｂに接する第２の押圧部材７およびそれらの押圧部材を連結する棒状の連結部材６、さらに２つの押圧部材５，７に挟まれた下方位置から上方に引き上げられるスライドロック部材９をまとめてロックユニット２０として、その詳細を図２に示す。
【００１７】
図２（ａ）はスライドロック部材９を引き上げる前、（ｂ）は引張り紐８を上方に引っ張ってスライドロック部材９を引き上げてフェンス支柱を固定していく様子を示している。図示のごとく、第１の押圧部材５および第２の押圧部材７は、共に対称をなすように下方に向けてその幅が狭くなるようなテーパ形状を有する。そして、第１および第２の押圧部材５，７は、その上端部において直方体の棒状の連結部材６にて一体化される。この実施例では、第１の押圧部材５を摺動不可能として、第２の押圧部材７を図面左右方向にわずかに摺動可能な締結用押圧部材として構成している。第１の押圧部材５はその上端をねじ１０にて連結部材６に固定されて、第２の押圧部材７はその上端にてスポット溶接等の手法により点付けされる。スライドロック部材９は両側面が、それぞれ第１の押圧部材５および第２の押圧部材７のテーパ面に対応したテーパ形状を有し、すなわち縦断面形状においては等脚台形となる。そして、上方にのびる引張り紐８を備える。
【００１８】
引張り紐８は、例えば、スライドロック部材９の上辺に特に図示しないねじや釘等のひっかかりとなる部材をスライドロック部材９の上辺にねじ込み、ねじ込まれた釘の頭の部分にビニールテープを巻き付けて設置することができる。この引張り紐８は、基礎ブロック１の固定用空所部２内に設置した時に、引張り紐８が固定用空所部２から十分な長さだけ出るように、すなわち引張る時の持ち手となる十分な長さが確保できるように基礎ブロック１の高さよりある程度長く設けるとよい。
【００１９】
当接部材４は直方体形状をなし、当接部材４、第１および第２の押圧部材５、７さらに連結部材６は共にプラスチックで形成される。当接部材４と第１の押圧部材５は、共に両面テープ等の粘着テープによってフェンス支柱３の側面に貼り付け固定されるものである。
【００２０】
さらに、一般的な基礎ブロック１の固定用空所部２の幅は、当接部材４とロックユニット２０を取り付けたフェンス支柱３の幅より大きく、かつスライドロック部材９により仮止めした際には、当接部材４とロックユニット２０が固定用空所部２内に密接状態となり得る幅に形成される。
【００２１】
次に、上記構成からなる、フェンス支柱の固定具の使用方法および動作を説明する。図３は当接部材４およびロックユニット２０をフェンス支柱３に粘着テープにより固定する様子を示している。当接部材４の片側側面には図４に示すように両面テープ１２が取り付けられ、特に図示しない剥離紙をはがしてフェンス支柱３に接着させる。この接着させる垂直位置は図１に示すように一般的に基礎ブロック１の上辺から距離Ｌ（５０ｍｍ程度）下がった位置になるように、予め目印を施して設置することができる。ロックユニット２０のフェンス支柱３と当接する第１の押圧部材５の当接面についても、特に図示しないが当接部材４と同様に両面テープが設けられて、当接部材４が貼り付けられるフェンス支柱３の側面と逆の側面に当接部材と同じ高さになるように取り付けることができる。
【００２２】
このようにして両側面に当接部材４とロックユニット２０を取り付けたフェンス支柱３を、続いて図１（ａ）に示すように基礎ブロック１の固定用空所部２内に挿入する。この時、当接部材４と固定用空所部の内側面２ａ、また、第２の押圧部材７と固定用空所部のもう一方の内側面２ｂとは、必ずしも接している必要は無く、前にも述べたようにその後の仮止めする作用に奏して固定用空所部２内に密接状態となる程度の隙間を有していても構わない。
【００２３】
こうして、フェンス支柱３を固定用空所部２内にセッティングした後、スライドロック部材９の上端に備えられる引張り紐８を上方にむけて引張って（図面矢印の方向）、スライドロック部材９を第１の押圧部材５と第２の押圧部材７との間に入り込ませるように引き上げる。すると、図１（ｂ）に示すように、当接部材４と固定用空所部の内側面２ａとの隙間はなくなって圧接状態となり、また、スライドロック部材９が第１の押圧部材５と第２の押圧部材とを外側に押し広げるように作用するので、第１の押圧部材５とフェンス支柱の側面３ｂ、および第２の押圧部材と固定用空所部の内側面２ｂとの間で強固な締付け力が発生し、フェンス支柱３を固定用空所部の両内側面２ａおよび２ｂを介して協力に圧接し固定する。
【００２４】
この時、第２の押圧部材７と連結部材６とは、簡単にスポット溶接等で点付けされているため、スライドロック部材９が引き上がり第１の押圧部材５と第２の押圧部材７とが左右に広げられていくにつれ、点付け部分に相当の負荷がかかることによって点付けが切断される。この作用により、さらに第２の押圧部材７は固定用空所部の内側面２ｂへの動きの自由度が増して、より強固な締付け力が得られる。すなわち、レベル棒にて垂直位置が固定され、そして本仮止め具により水平方向位置が固定されて、フェンス支柱３は固定用空所部２内で安定を保って立設されることとなる。
【００２５】
ここで、フェンス支柱３が傾いていたり、フェンス支柱３の固定が不十分であったなら、溶接による点付け部分が切断する以前であれば、はめ込んだスライドロック部材９の上部分を上方から押し下げることにより、簡単にスライドロック部材９の嵌合を解いて図１（ａ）の状態に戻すことができる。そして、もう一度引張り紐８を引っ張って、締付け直すことができる。
【００２６】
このようにして、フェンス支柱３が固定用空所部２内に固定された後は、不要な引張り紐８の一部を切断して、図５に示すように固定用空所部２内に直接モルタルを流し込み、固まるまで放置する。図１において、当接部材４にはモルタル充填用の穴１３が形成されており、この穴１３内にもモルタルが入り込み、フェンス支柱の一連の固定具はモルタルの中に埋没される。この穴１３は、当接部材４を貫通して形成されていて、その穴１３が開口する当接部材４の双方の側からモルタルが穴１３内に入り込むようにすることもできるし、穴１３を一方の側のみに開口する有底穴（行止り穴）とすることもできる。
【００２７】
以下、その他の実施例について図面と共に順次説明する。まず、連結部材の別の実施例を図６に示す。上記では、直方体の棒状のものであったが、この実施例は一側面に凹凸を設けて櫛歯のような形状をしたものである。この連結部材１６は、第１の押圧部材５には２本のねじ１０にて固定され、第２の押圧部材には２箇所の点付け部（スポット溶接部）１１にて点付け固定される。ねじ１０およびスポット溶接を２箇所にすることにより、第１および第２の押圧部材５、７との連結の安定を図ることができる。
【００２８】
また、その他の連結方法の例を図８に示す。図８では摺動可能な第２の押圧部材７と連結部材６との結合部において、連結部材６に空けられた係止孔２１に第２の押圧部材７に設けられた突起２２が係合しており、この突起２２が係止孔２１に沿って移動でき、第２の押圧部材７の図面横方向への移動を可能にするものである。
【００２９】
なお、本実施例ではこれまで第２の押圧部材７と連結部材６とを点付けによる固定としたが、これに限られることなく、例えば第１の部材５と連結部材６とを点付けにしてもよいし、第１および第２の押圧部材５，７の双方を点付けによる固定としてもよい。また、当接部材４を、ロックユニット２０と同様に構成して、左右のスライドロック部材を順次引き上げてフェンス支柱３の両側面から押圧することもできる。その例を図９に示す。このように構成すれば、左右のロックユニットのリフト量Ｌ１、Ｌ２に応じてフェンス支柱の左右の微調整が可能になる。
【００３０】
またさらに、別の実施例を図１０（ａ）から（ｃ）に示す。図（ａ）に示すように、第１の押圧部材４５とスライドロック部材４９との接触面を共に垂直平面に形成し、第２の押圧部材４７とスライドロック部材４９との接触面のみをテーパ形状とした例である。さらに、（ｂ）は（ａ）の構成から第１の押圧部材４５を削除した構成の例を示し、（ｃ）は、これまで述べてきた実施例において、当接部材４がなく、フェンス支柱３の片側外側面をブロックの固定用空所部２の内側面に直接接するように構成した例である。
【００３１】
さらに、図１１には、球形状のスライドロック部材５９を、紐６０によって引張り上げて、その紐６０の先端を凸部５８に巻き付けて締付け固定する例を示す。このように、スライドロック部材の形状についても、直方体やテーパを有する形状に限定されることはなく、種々の形状を取ることが可能である。
【００３２】
また、図１２には、スライドロック部材を引き上げる際の別の構成例を示す。図１２に示すように、スライドロック部材９の上部に環状の引っ掛け用係止部３０を形成して、その環の部分に引っ掛け部材３１を引っ掛けて固定し、上方に引っ張り、スライドロック部材９が固定された後に、引っ掛け部材３１を外す構成とすることもできる。
【００３３】
図１３は、ロックユニットを水平状態に設置した例を示す。（ａ）はその斜視図、（ｂ）はその平面図である。（ａ）に示すようにスライドロック部材９の一端面から棒状のレバー６１により図面矢印の方向に力を加えると、その作用でスライドロック部材は（ｂ）に示すように図面上方向にスライドして、支柱３を締付け固定することができる。
【００３４】
以上のように、本発明を図示した実施例に基づき説明したが、この発明の請求項の範囲内において、その他種々の変形例が可能である。
【図面の簡単な説明】
【図１】本発明の建材支柱の仮止め具の一実施例を説明する正面図。
【図２】本発明のロックユニットの一実施例の詳細を説明する正面図。
【図３】本発明の建材支柱の仮止め具をフェンス支柱に取り付ける動作を説明する図。
【図４】当接部材の一実施例を示す斜視図。
【図５】モルタルを注ぐ際の全体イメージ斜視図。
【図６】連結部材の別の実施例を示す正面図。
【図７】従来例を説明する斜視図。
【図８】連結方法の別の実施例を示す図。
【図９】フェンス支柱の両側にロックユニットを備える一実施例を示す図。
【図１０】本発明の別な実施形態を説明する図。
【図１１】さらに本発明の別な実施形態を説明する図。
【図１２】別の実施例におけるスライドロック部材を引き上げる様子を説明する図。
【図１３】本発明の別な一実施例を説明する図。
【符号の説明】
１　基礎ブロック
２　固定用空所部
３　フェンス支柱
４　当接部材
５　第１の押圧部材
６　連結部材
７　第２の押圧部材
８　引張り紐
９　スライドロック部材
１０　ねじ
１１　点付け部
１２　両面テープ
１３　モルタル用充填穴
１４　レベル穴
２０　ロックユニット
【図１】
2004036202.tif 000003
【図２】
2004036202.tif 000004
【図３】
2004036202.tif 000005
【図４】
2004036202.tif 000006
【図５】
2004036202.tif 000007
【図６】
2004036202.tif 000008
【図７】
2004036202.tif 000009
【図８】
2004036202.tif 000010
【図９】
2004036202.tif 000011
【図１０】
2004036202.tif 000012
【図１１】
2004036202.tif 000013
【図１２】
2004036202.tif 000014
【図１３】
2004036202.tif 000015
【手続補正書】
【提出日】平成14年11月14日(2002.11.14)
【手続補正１】
【補正対象書類名】明細書
【補正対象項目名】特許請求の範囲
【補正方法】変更
【補正の内容】
【特許請求の範囲】
【請求項１】
基礎部の固定用空所内にフェンス支柱等の建材支柱の基部を位置させてその固定用空所内にモルタル等の施工材料を充填して建材支柱を基礎部に固定施工するのに先立ち、その建材支柱を前記基礎部の固定用空所に仮止めするために、前記建材支柱の基部と前記基礎部の固定用空所の内壁との間に挿入される仮止め具であって、
前記固定用空所内でスライド可能とされたスライドロック部材と、そのスライドロック部材を接触させつつそのスライドロック部材のスライド方向と交差する向きの分力を受けて前記固定用空所の内壁及び前記建材支柱の基部外面に押し付けられる押圧部材とを備えるロックユニットを含み、
前記スライドロック部材は、非ロック位置からロック位置に移動する側の一端面に、前記スライドロック部材をスライド移動させるための引っ掛け部を備え、前記スライドロック部材が非ロック位置からロック位置に移動した状態でそのスライドロック部材と前記押圧部材との相互の押圧作用に基づき、前記建材支柱が前記固定用空所内で仮止めされることを特徴とする建材支柱の仮止め具。
【請求項２】
基礎部の固定用空所内にフェンス支柱等の建材支柱の基部を位置させてその固定用空所内にモルタル等の施工材料を充填して建材支柱を基礎部に固定施工するのに先立ち、その建材支柱を前記基礎部の固定用空所に仮止めするために、前記建材支柱の基部と前記基礎部の固定用空所の内壁との間に挿入される仮止め具であって、
前記固定用空所内でスライド可能とされたスライドロック部材と、そのスライドロック部材を接触させつつそのスライドロック部材のスライド方向と交差する向きの分力を受けて前記固定用空所の内壁及び前記建材支柱の基部外面に押し付けられる押圧部材とを備えるロックユニットを含み、
前記スライドロック部材は、非ロック位置からロック位置に移動する側の一端面に、前記スライドロック部材をスライドさせるためのスライド方向にのびる引張り紐を有し、前記スライドロック部材が引張り紐に引張られて非ロック位置からロック位置に移動した状態でそのスライドロック部材と前記押圧部材との相互の押圧作用に基づき、前記建材支柱が前記固定用空所内で仮止めされることを特徴とする建材支柱の仮止め具。
【請求項３】
基礎部の固定用空所内にフェンス支柱等の建材支柱の基部を位置させてその固定用空所内にモルタル等の施工材料を充填して建材支柱を基礎部に固定施工するのに先立ち、その建材支柱を前記基礎部の固定用空所に仮止めするために、前記建材支柱の基部と前記基礎部の固定用空所の内壁との間に挿入される仮止め具であって、
前記固定用空所内でスライド可能とされたスライドロック部材と、そのスライドロック部材を両側から接触させつつそのスライドロック部材のスライド方向と交差する向きの分力を受けて前記固定用空所の内壁及び前記建材支柱の基部外面に押し付けられる押圧部材とを備えるロックユニットを含み、
前記建材支柱の基部外面には前記ロックユニットの一方の押圧部材が固定されており、他方の押圧部材はそれぞれの一端部において連結部材にて一体化されてその間にスライドロック部材を配置しており、
前記建材支柱はロックユニットとともに前記固定用空所内に挿入され、前記スライドロック部材が非ロック位置からロック位置に移動した状態でそのスライドロック部材とその両側の前記押圧部材との相互の押圧作用に基づき、前記建材支柱が前記固定用空所内で仮止めされることを特徴とする建材支柱の仮止め具。
【請求項４】
前記スライドロック部材の両側の押圧部材を一体化する連結部材は、少なくとも一方の押圧部材との間でスライドロック部材の移動によって外れるスポット溶接によって固定されていることを特徴とする請求項３に記載の建材支柱の仮止め具。
【請求項５】
前記建材支柱の基部の片側にロックユニットを配置し、このロックユニットの反対側の建材支柱には当接部材を配置し、前記建材支柱は固定用空所の内壁から離れた位置で固定されることを特徴とする請求項１ないし請求項４のいずれか１項に記載の建材支柱の仮止め具。
【請求項６】
前記建材支柱を前記固定用空所内で仮止めするロックユニットは固定用空所の上面よりも下方に位置しており、前記ロックされたロックユニットの上部にはモルタルが充填されていることを特徴とする請求項１ないし請求項５のいずれか１項に記載の建材支柱の仮止め具。
【請求項７】
基礎部の固定用空所内にフェンス支柱等の建材支柱の基部を位置させてその固定用空所内にモルタル等の施工材料を充填して建材支柱を基礎部に固定施工するのに先立ち、その建材支柱を前記基礎部の固定用空所に仮止めする方法であって、
前記建材支柱の基部を前記基礎部の固定用空所に位置させ、
その建材支柱と固定用空所との間に、
前記固定用空所内でスライド可能とされたスライドロック部材と、そのスライドロック部材を接触させつつそのスライドロック部材のスライド方向と交差する向きの分力を受けて前記固定用空所の内壁又は前記建材支柱の基部外面に押し付けられる押圧部材とを備えるロックユニットを挿入し、
前記スライドロック部材の非ロック位置からロック位置に移動する側の一端面には、このスライドロック部材をスライドさせるための引っ掛け部を備え、この引っ掛け部に固定した引っ掛け部材を引張って前記スライドロック部材を非ロック位置からロック位置に移動させることによりそのスライドロック部材と前記押圧部材との相互の押圧作用に基づき、前記建材支柱を前記固定用空所内で仮止めすることを特徴とする建材支柱の仮止め方法。
【請求項８】
基礎部の固定用空所内にフェンス支柱等の建材支柱の基部を位置させてその固定用空所内にモルタル等の施工材料を充填して建材支柱を基礎部に固定施工するのに先立ち、その建材支柱を前記基礎部の固定用空所に仮止めする方法であって、
前記建材支柱の基部を前記基礎部の固定用空所に位置させ、
その建材支柱と固定用空所との間に、
前記固定用空所内でスライド可能とされたスライドロック部材と、そのスライドロック部材を両側から接触させつつそのスライドロック部材のスライド方向と交差する向きの分力を受けて前記固定用空所の内壁又は前記建材支柱の基部外面に押し付けられる押圧部材とを備え、
この押圧部材の一方は建材支柱の外面に固定されており、他方の押し部材はそれぞれの一端部において連結部材にて一体化されて、その間にスライドロック部材を配置しており、前記建材支柱はロックユニットとともに前記固定用空所内に挿入し、
その前記スライドロック部材を非ロック位置からロック位置に移動させることによりそのスライドロック部材とその両側の前記押圧部材との相互の押圧作用に基づき、前記建材支柱を前記固定用空所内で仮止めすることを特徴とする建材支柱の仮止め方法。
【請求項９】
前記ロックユニットが固定された建材支柱の反対側と固定用空所の内壁との間に当接部材が配置され、この当接部材と前記ロックユニットは、前記建材支柱の基部外面に簡易性の粘着テープで固定されていることを特徴とする請求項７又は請求項８に記載の建材支柱の仮止め方法。
【手続補正２】
【補正対象書類名】明細書
【補正対象項目名】０００８
【補正方法】変更
【補正の内容】
【０００８】
また、さらに具体的な発明の形態として本発明は、前記スライドロック部材は、非ロック位置からロック位置に移動する側の一端面に、前記スライドロック部材をスライド移動させるための引っ掛け部を備えるものとすることができる。さらに、前記スライドロック部材は、非ロック位置からロック位置に移動する側の一端面に、前記スライドロック部材をスライドさせるためのスライド方向にのびる引張り紐を有し、前記スライドロック部材が引張り紐に引張られて、前記建材支柱が前記固定用空所内で仮止めされるようにしてもよい。


【手続補正３】
【補正対象書類名】明細書
【補正対象項目名】０００９
【補正方法】変更
【補正の内容】
【０００９】
また、さらなる別な発明の形態として、建材支柱の基部外面には前記ロックユニットの一方の押圧部材が固定されており、他方の押圧部材はそれぞれの一端部において連結部材にて一体化されてその間にスライドロック部材を配置しており、前記建材支柱はロックユニットとともに前記固定用空所内に挿入され、前記スライドロック部材が非ロック位置からロック位置に移動する構成としてもよい。


【手続補正４】
【補正対象書類名】明細書
【補正対象項目名】００１０
【補正方法】変更
【補正の内容】
【００１０】
このように構成すれば、２つの押圧部材の間にスライドロック部材を挟むようにしてスライドロック部材を押圧部材に接触させつつスライドさせることによって、スライドロック部材は２つの前記押圧部材を外側に押し広げるように作用し、ロック位置までスライドした後には、建材支柱が基礎部であるブロック等の固定用空所内で強力に仮止めされることとなる。


【手続補正５】
【補正対象書類名】明細書
【補正対象項目名】００１１
【補正方法】変更
【補正の内容】
【００１１】
また、フェンス支柱等の建材支柱を固定する方法としての本発明は、基礎部の固定用空所内にフェンス支柱等の建材支柱の基部を位置させてその固定用空所内にモルタル等の施工材料を充填して建材支柱を基礎部に固定施工するのに先立ち、その建材支柱を前記基礎部の固定用空所に仮止めする方法であって、
前記建材支柱の基部を前記基礎部の固定用空所に位置させ、
その建材支柱と固定用空所との間に、
前記固定用空所内でスライド可能とされたスライドロック部材と、そのスライドロック部材を両側から接触させつつそのスライドロック部材のスライド方向と交差する向きの分力を受けて前記固定用空所の内壁又は前記建材支柱の基部外面に押し付けられる押圧部材とを備え、この押圧部材の一方は建材支柱の外面に固定されており、他方の押し部材はそれぞれの一端部において連結部材にて一体化されて、その間にスライドロック部材を配置しており、前記建材支柱はロックユニットとともに前記固定用空所内に挿入し、
その前記スライドロック部材を非ロック位置からロック位置に移動させることによりそのスライドロック部材とその両側の前記押圧部材との相互の押圧作用に基づき、前記建材支柱を前記固定用空所内で仮止めすることを特徴とする。


【手続補正６】
【補正対象書類名】明細書
【補正対象項目名】００１２
【補正方法】変更
【補正の内容】
【００１２】
また、さらに具体的な発明の形態として、前記ロックユニットは、前記当接部材とともに、前記建材支柱の基部外面に簡易性の粘着テープで固定するようにしてもよい。




【手続補正書】
【提出日】平成15年4月28日(2003.4.28)
【手続補正１】
【補正対象書類名】明細書
【補正対象項目名】特許請求の範囲
【補正方法】変更
【補正の内容】
【特許請求の範囲】
【請求項１】
基礎部の固定用空所内にフェンス支柱等の建材支柱の基部を位置させてその固定用空所内にモルタル等の施工材料を充填して建材支柱を基礎部に固定施工するのに先立ち、その建材支柱を前記基礎部の固定用空所に仮止めするために、前記建材支柱の基部と前記基礎部の固定用空所の内壁との間に挿入される仮止め具であって、
前記固定用空所内でスライド可能とされたスライドロック部材と、そのスライドロック部材を接触させつつそのスライドロック部材のスライド方向と交差する向きの分力を受けて前記固定用空所の内壁及び前記建材支柱の基部外面に押し付けられる押圧部材とを備えるロックユニットを含み、
前記スライドロック部材は、非ロック位置からロック位置に移動する側の一端面に、前記スライドロック部材をスライド移動させるための引っ掛け部を備え、前記スライドロック部材が非ロック位置からロック位置に移動した状態でそのスライドロック部材と前記押圧部材との相互の押圧作用に基づき、前記建材支柱が前記固定用空所内で仮止めされることを特徴とする建材支柱の仮止め具。
【請求項２】
基礎部の固定用空所内にフェンス支柱等の建材支柱の基部を位置させてその固定用空所内にモルタル等の施工材料を充填して建材支柱を基礎部に固定施工するのに先立ち、その建材支柱を前記基礎部の固定用空所に仮止めするために、前記建材支柱の基部と前記基礎部の固定用空所の内壁との間に挿入される仮止め具であって、
前記固定用空所内でスライド可能とされたスライドロック部材と、そのスライドロック部材を接触させつつそのスライドロック部材のスライド方向と交差する向きの分力を受けて前記固定用空所の内壁及び前記建材支柱の基部外面に押し付けられる押圧部材とを備えるロックユニットを含み、
前記スライドロック部材は、非ロック位置からロック位置に移動する側の一端面に、前記スライドロック部材をスライドさせるためのスライド方向にのびる引張り紐を有し、前記スライドロック部材が引張り紐に引張られて非ロック位置からロック位置に移動した状態でそのスライドロック部材と前記押圧部材との相互の押圧作用に基づき、前記建材支柱が前記固定用空所内で仮止めされることを特徴とする建材支柱の仮止め具。
【請求項３】
基礎部の固定用空所内にフェンス支柱等の建材支柱の基部を位置させてその固定用空所内にモルタル等の施工材料を充填して建材支柱を基礎部に固定施工するのに先立ち、その建材支柱を前記基礎部の固定用空所に仮止めするために、前記建材支柱の基部と前記基礎部の固定用空所の内壁との間に挿入される仮止め具であって、
前記固定用空所内でスライド可能とされたスライドロック部材と、そのスライドロック部材を両側から接触させつつそのスライドロック部材のスライド方向と交差する向きの分力を受けて前記固定用空所の内壁及び前記建材支柱の基部外面に押し付けられる押圧部材とを備えるロックユニットを含み、
前記建材支柱の基部外面には前記ロックユニットの一方の押圧部材が固定されており、他方の押圧部材はそれぞれの一端部において連結部材にて一体化されてその間にスライドロック部材を配置しており、
前記建材支柱はロックユニットとともに前記固定用空所内に挿入され、前記スライドロック部材が非ロック位置からロック位置に移動した状態でそのスライドロック部材とその両側の前記押圧部材との相互の押圧作用に基づき、前記建材支柱が前記固定用空所内で仮止めされると共に、
前記スライドロック部材の両側の押圧部材を一体化する連結部材は、少なくとも一方の押圧部材との間でスライドロック部材の移動によって外れるスポット溶接によって固定されていることを特徴とする建材支柱の仮止め具。
【請求項４】
前記建材支柱の基部の片側にロックユニットを配置し、このロックユニットの反対側の建材支柱には当接部材を配置し、前記建材支柱は固定用空所の内壁から離れた位置で固定されることを特徴とする請求項１ないし請求項３のいずれか１項に記載の建材支柱の仮止め具。
【請求項５】
前記建材支柱を前記固定用空所内で仮止めするロックユニットは固定用空所の上面よりも下方に位置しており、前記ロックされたロックユニットの上部にはモルタルが充填されていることを特徴とする請求項１ないし請求項４のいずれか１項に記載の建材支柱の仮止め具。
【請求項６】
基礎部の固定用空所内にフェンス支柱等の建材支柱の基部を位置させてその固定用空所内にモルタル等の施工材料を充填して建材支柱を基礎部に固定施工するのに先立ち、その建材支柱を前記基礎部の固定用空所に仮止めする方法であって、
前記建材支柱の基部を前記基礎部の固定用空所に位置させ、
その建材支柱と固定用空所との間に、
前記固定用空所内でスライド可能とされたスライドロック部材と、そのスライドロック部材を両側から接触させつつそのスライドロック部材のスライド方向と交差する向きの分力を受けて前記固定用空所の内壁又は前記建材支柱の基部外面に押し付けられる押圧部材とを備え、
この押圧部材の一方は建材支柱の外面に固定されており、他方の押圧部材はそれぞれの一端部においてスライドロック部材の移動によって外れるスポット溶接によって固定する連結部材にて一体化されており、両押圧部材はその間にスライドロック部材を配置して、前記建材支柱をロックユニットとともに前記固定用空所内に挿入し、
その前記スライドロック部材を非ロック位置からロック位置に移動させることによりそのスライドロック部材とその両側の前記押圧部材との相互の押圧作用に基づき、前記建材支柱を前記固定用空所内で仮止めすることを特徴とする建材支柱の仮止め方法。
【請求項７】
基礎部の固定用空所内にフェンス支柱等の建材支柱の基部を位置させてその固定用空所内にモルタル等の施工材料を充填して建材支柱を基礎部に固定施工するのに先立ち、その建材支柱を前記基礎部の固定用空所に仮止めする方法であって、
前記建材支柱の基部を前記基礎部の固定用空所に位置させ、
その建材支柱と固定用空所との間に、
前記固定用空所内でスライド可能とされたスライドロック部材と、そのスライドロック部材を接触させつつそのスライドロック部材のスライド方向と交差する向きの分力を受けて前記固定用空所の内壁又は前記建材支柱の基部外面に押し付けられる押圧部材とを備えるロックユニットを挿入し、
前記スライドロック部材の非ロック位置からロック位置に移動する側の一端面には、このスライドロック部材をスライドさせるための引っ掛け部を備え、この引っ掛け部に固定した引っ掛け部材を引張って前記スライドロック部材を非ロック位置からロック位置に移動させることによりそのスライドロック部材と前記押圧部材との相互の押圧作用に基づき、前記建材支柱を前記固定用空所内で仮止めすることを特徴とする建材支柱の仮止め方法。
【請求項８】
前記ロックユニットが固定された建材支柱の反対側と固定用空所の内壁との間に当接部材が配置され、この当接部材と前記ロックユニットは、前記建材支柱の基部外面に簡易性の粘着テープで固定されていることを特徴とする請求項６又は請求項７に記載の建材支柱の仮止め方法。
【手続補正２】
【補正対象書類名】明細書
【補正対象項目名】０００９
【補正方法】変更
【補正の内容】
【０００９】
また、さらなる別な発明の形態として、建材支柱の基部外面には前記ロックユニットの一方の押圧部材が固定されており、他方の押圧部材はそれぞれの一端部において連結部材にて一体化されてその間にスライドロック部材を配置しており、前記押圧部材を一体化する連結部材はスライドロック部材の移動によって外れるスポット溶接によって固定され、もしくは、他方の押圧部材に設けられた突起が連結部材に空けられた係止孔に係合して突起が係止孔に沿って移動するように構成され、前記建材支柱はロックユニットとともに前記固定用空所内に挿入され、前記スライドロック部材が非ロック位置からロック位置に移動する構成としてもよい。


【手続補正３】
【補正対象書類名】明細書
【補正対象項目名】００１１
【補正方法】変更
【補正の内容】
【００１１】
また、フェンス支柱等の建材支柱を固定する方法としての本発明は、基礎部の固定用空所内にフェンス支柱等の建材支柱の基部を位置させてその固定用空所内にモルタル等の施工材料を充填して建材支柱を基礎部に固定施工するのに先立ち、その建材支柱を前記基礎部の固定用空所に仮止めする方法であって、
前記建材支柱の基部を前記基礎部の固定用空所に位置させ、
その建材支柱と固定用空所との間に、
前記固定用空所内でスライド可能とされたスライドロック部材と、そのスライドロック部材を両側から接触させつつそのスライドロック部材のスライド方向と交差する向きの分力を受けて前記固定用空所の内壁又は前記建材支柱の基部外面に押し付けられる押圧部材とを備え、この押圧部材の一方は建材支柱の外面に固定されており、他方の押圧部材はそれぞれの一端部においてスライドロック部材の移動によって外れるスポット溶接によって固定する連結部材にて一体化されており、両押圧部材はその間にスライドロック部材を配置して、前記建材支柱をロックユニットとともに前記固定用空所内に挿入し、
その前記スライドロック部材を非ロック位置からロック位置に移動させることによりそのスライドロック部材とその両側の前記押圧部材との相互の押圧作用に基づき、前記建材支柱を前記固定用空所内で仮止めすることを特徴とする。